(57)【要約】【課題】自重加圧式の洗濯ばさみの挟持面に凹凸を設けた場合において、凹凸がずれた位置で歯合しない仕組を提供する。【解決手段】凸部を挟持部材の巾方向に断続的に設け、一方の挟持部材の凸部が回動する領域には他方の挟持部材には凸部を設けない。ただし、解放操作を行う挟持部材が決まっている場合は、解放操作側の最上段の凸部と、反対側の挟持部材の最下段の凸部は挟持部材の巾方向に連続して設けることができ、この２段が連続することによって、洗濯物の保持性が向上する。【選択図】図１
2008149079.tif 000002
【特許請求の範囲】
【請求項１】
回転軸を異にする２つの挟持部材で洗濯物を挟み込んで保持する洗濯ばさみのうち、左右の挟持部材の挟持面に凹凸を設ける洗濯ばさみにおいて、凸部を挟持部材の巾方向に断続的に設け、かつ、凸部が左右の挟持部材に相互に存在し、一方の挟持部材の凸部が回動する領域には他方の挟持部材には凸部を設けないことを特徴とする洗濯ばさみ。
【請求項２】
請求項１に記載の洗濯ばさみにおいて、最上段の凸部は解放操作用の持部材側に、最下段の凸部はこれと反対の挟持部材に設けると共に、最上段と最下段の凸部のみ、請求項１の記載によらず、挟持部材の巾方向に連続して設けることを特徴とする洗濯ばさみ。
【請求項３】
請求項１、２に記載の洗濯ばさみにおいて、挟持面の凹凸の大きさを大小数種類の大きさを取り混ぜて配置することを特徴とする洗濯ばさみ。
【発明の詳細な説明】
【技術分野】
【０００１】  本発明は、洗濯物の装着及び脱着が容易な自重加圧式の洗濯ばさみ及びこれを利用した物干し具に関する。
【背景技術】
【０００２】  従来の洗濯ばさみ（ピンチ、クリップなどと呼ぶものを含む）は、２つの挟持部材をばねで付勢するのが一般的である。一方、挟持部材を上下に可動とし、洗濯物の自重を挟持部材の把持圧力に付加する洗濯ばさみを本願出願人は提案している（特許文献１）。【０００３】
【特許文献１】  特願２００６−１６１４４４
【発明の開示】
【発明が解決しようとする課題】
【０００４】  引用文献１記載の洗濯ばさみにあっては、挟持部材の両方を可動としていることから、洗濯物の挿入時の容易性を確保でき、また、挟持面に互いに歯合する凹凸を設けたことにより、洗濯物が挟持部材に絡むことから、洗濯物が単独で滑り落ちることがなく、洗濯物の下方への移動を挟持部材の回転につなげることとなり、その結果、把持力加勢が行われ洗濯物を確実に保持できる。【０００５】  しかし、互いに歯合する凹凸を設けた左右の挟持部材が独立に動くため、必ずしも左右対称に回転せず、ずれた位置で歯合する場合がある。特に、引用文献１記載の洗濯ばさみのうち、一斉解放のためのスライドを片側のみに用いると、洗濯物解放後は確実にずれた位置で歯合することとなる。洗濯物の空の状態における歯合のずれは、ひとたび洗濯物を挿入することにより歯合が解消され、ずれは直るので実用上の問題はないものの、見栄えが悪いという問題がある。これを避けるため、引用文献１では、回転を整合させるリンク機構を具えることを推奨しているが、部品点数が多くなりコストが下げにくいことが問題であった。【０００６】  本発明は、洗濯物が単独で滑り落ちないよう、洗濯ばさみ挟持面に凹凸を具備しつつ、リンク機構に頼ることなく、凹凸が正規の位置で歯合する挟持面を提供することを目的とする。
【課題を解決するための手段】
【０００７】  上記目的を達成すべく、本発明は、凸部をそれぞれ挟持部材の巾全面に設けることに代えて、挟持部材の巾方向に断続的に設け、かつ、凸部が左右の挟持部材に相互に存在し、一方の挟持部材の凸部が回動する領域には他方の挟持部材には凸部を設けないことを最も主要な特徴とする。【０００８】  この挟持面において、挟持部材の巾方向に断続する凸部の間隔、すなわち上方から見たときの凹凸の間隔は、挟持部材の回転する円弧方向の凸部の間隔、すなわち、横方向から見たときの凹凸の間隔よりも密にすることが有効である。なぜならば、挿入された洗濯物は斜めの格子の交点状に左右の挟持部材から交互に押されるのであるから、左右の間隔が疎である場合、洗濯物は横方向に折りたたまれることに代え、縦方向に折りたたまれてしまう。このように把持されると、円周方向の凹凸が意味をなさなくなり、洗濯物の下方向への移動が挟持部材の回転に有効に伝わらず洗濯物のみ滑り落ち易くなるためである。【０００９】  引用文献１記載の洗濯ばさみにおける一斉解放スライドを片側のみに用いる場合のように、常に一定の挟持部材が他方より大きく回転することが確実な洗濯ばさみにおいては、最上段の凸部はより大きく回転する側、すなわち、解放側の挟持部材に設け、最下段の凸部は反対側の挟持部材に設けることによって、最上段と最下段の凸部を挟持部材の巾方向に連続して設けることが有効である。【００１０】  また、前記の洗濯ばさみにおいて、その挟持面の凹凸の大きさは、大小数種類の大きさを取り混ぜて配置することが有効である。
【発明の効果】
【００１１】  洗濯物の自重を挟持部材の把持圧力に付加する洗濯ばさみで左右の両挟持部材の挟持面に凹凸を設けるものにあって、リンク機構が無くても洗濯物解放後の空の状態で挟持部材が所定の位置に戻ることが出来、使用者に安定感を与えることが出来る。
【発明を実施するための最良の形態】
【００１２】  本発明を実施するための最良の実施形態について図面を参照しながら以下に詳細に説明する。
【実施例１】
【００１３】  図１は、本発明にかかる挟持面の一実施例を用いた洗濯ばさみの分解斜図である。外側ケース１０と該ケースに軸支された挟持部材２０ａ、２０ｂとを具えている。挟持部材２０は図示しないバネにより挟持部材２０を内側へ倒す方向へ軽く付勢されており、反対に回動させるためのレバー２５を具えている。挟持部材２０には、お互い中立点を越えて回動しないようストッパ２３を設け、ケース１０にストッパ受け１２を設けている。挟持部材の挟持面２２ａ、２２ｂそれぞれに、凹凸を構成するための凸部２４が設けられている。凸部２４ａと２４ｂは横から見たときに歯合している位置に設け、かつ、挟持部材の巾方向に断続的に設けられており、その断続の仕方は、一方の挟持部材の凸部が回動する領域には他方の挟持部材には凸部がないように２４ａと２４ｂが相互に存在している。そして、巾方向の断続は上下方向の凹凸の間隔より密になっている。【００１４】  上記形態により、挟持部材は横から見ると凹凸２４が歯合しているため、洗濯物を横に折りたたんで挟むので洗濯物が挟持部材に絡むことになり、洗濯物の下方への移動を挟持部材の回動につなげることができつつ、洗濯物が挟まっていない状態においては、挟持部材２０ａ、および、挟持部材２０ｂはそれぞれ互いに干渉されることなく回動できる。
【実施例２】
【００１５】  図２は、図１の挟持面を発展させた洗濯ばさみの分解斜図である。凸部２４−２、２４−３、２４−４、２４−５は実施例１と同様であるが、最上段の凸部２４−１と最下段の凸部２４−６は挟持部材の巾方向に連続して設けている。また、最上段の凸部２４−１と最下段の凸部２４−６は反対の挟持部材に設け、洗濯物解放用レバー２５は、最上段の凸部２４−１のある挟持部材２０ｂにのみ取り付けてある。【００１６】  この洗濯ばさみは洗濯物解放用レバー２５により洗濯物を解放するとき及び解放直後は、挟持部材の上下関係は必ず挟持部材２０ａが下で、挟持部材２０ｂが上となる。洗濯物解放後、挟持部材２０ｂが定位置に向け回動するまでの間、相互の凸部は干渉しないので、挟持部材は定位置に戻ることが出来る上、巾方向に連続する凸部が一部あるため、洗濯物が縦に折りたたまれることがない。【００１７】  また、本実施例では、凹凸の大きさを上部に小さく、下部に行くほど大きくしている。この効果について以下に説明する。挟持する洗濯物が薄い場合は上部から下部まで全ての凹凸が当接するが、厚物を挟んだ場合は上部は開いたままになってしまい、当接するのは下部のみとなる。洗濯物を巻き込んで挟持するためには、厚物の洗濯物に対し巻き込みを起こすためには相応の大きさで湾曲させる必要がある一方、薄物の場合は大きな凹凸では洗濯物が抵抗を示さずすり抜けてしまうため、相応の細かい湾曲を起こさせる必要がある。このため、上部は薄物用の細かい凹凸、下部は厚物用の大きな凹凸としているものである。
【実施例３】
【００１８】  図３は、図２の洗濯ばさみを複数組み込んだ物干し具の内部機構を示す部分分解斜図である。物干し具５の本体フレーム５ａに洗濯ばさみ４を２列に組み込である。各挟持部材２０は、バネ１４及びバネ受け１３により内側に軽く付勢されており、中立点を越えて回転しないよう、フレーム側にストッパ受け１２を設けると共に、挟持部材２０ａにはストッパ２３ａを、挟持部材２０ｂにはストッパ兼解放用突起受け２３ｂを突出させている。スライドバー４６、および該スライドバーに連動したロッド４５、ロッドの突起４７の動きで全ての洗濯ばさみ４のストッパ兼解放用突起受け２３ｂを押すことができるので、洗濯ばさみを同時に解放できるよう構成している。なお、この洗濯ばさみは請求項３記載の挟持面を使用しているのでリンク機構を省略している。
【図面の簡単な説明】
【００１９】
【図１】実施例１における分解斜図
【図２】実施例２における分解斜図
【図３】実施例３における分解斜図
【符号の説明】
【００２０】    ４  洗濯ばさみ
５  物干し具
１０  ケース
１２  ストッパ受け
１３  バネ受け
１４  バネ
２０  挟持部材
２２  挟持面
２３  ストッパ
２３ｂ  ストッパ兼解放用突起受け
２４  凸部
２５  レバー
４６  スライドバー
４５  ロッド
４７  ロッドの突起
【図１】
2008149079.tif 000003
【図２】
2008149079.tif 000004
【図３】
2008149079.tif 000005